(57)【要約】【課題】  本発明は、病室内に設置され、患者に医療看護行為を行う為の病室用医療用コンソールユニットに関するもので、トータルコストを抑制する使い勝手のよい医療用コンソールユニットを提供することを課題とする。【解決手段】  主に病室、居室の壁体に設置される医療用コンソールユニットにおいて、医療用コンソールユニットを、壁体の一方面側と他方面側の両面から使用できるものとし、少なくとも壁体の一方面側と他方面側に医療用ガスのアウトレットを備えるとともに、一方面側用の医療用ガスのアウトレットと他方面側用の医療用ガスのアウトレットで共用可能な医療用ガス配管の接続部分を設ける。【選択図】 図１３
2018029632.tif 000002
【特許請求の範囲】
【請求項１】
医療用ガスのアウトレットや医療用壁掛式吸引器の取り付けフック、ナースコール子機器具、コンセント、スイッチ等が組み付けられ、主に病室、居室の壁体に設置される医療用コンソールユニットにおいて、医療用コンソールユニットは、壁体の一方面側と他方面側の両面から使用できるものであって、少なくとも壁体の一方面側と他方面側に医療用ガスのアウトレットを備えるとともに、一方面側用の医療用ガスのアウトレットと他方面側用の医療用ガスのアウトレットで共用可能な医療用ガス配管の接続部分を備えたことを特徴とする医療用コンソールユニット。
【請求項２】
医療用コンソールユニットは、少なくとも大部分が壁面内に設置される本体と、本体を覆う化粧パネルを壁体の一方面側と他方面側に備え、壁体を構成する一方面の化粧材と他方面側の化粧材間に、本体より膨出状に形成された医療用ガス配管の接続部分を設けたことを特徴とする請求項１に記載の医療用コンソールユニット。
【請求項３】
膨出状に形成された医療用ガス配管の接続部分は、本体と分離可能に形成されていることを特徴とする請求項２に記載の医療用コンソールユニット。
【請求項４】
医療用コンソールユニットは、少なくとも大部分が壁面内に設置される本体と、本体を覆う化粧パネルを備え、化粧パネルを取り外した状態で露呈する本体に一方面側と他方面側に貫通する開口部を備えた開放空間を設け、該開放空間を医療用ガス配管の接続部分としたことを特徴とする請求項１に記載の医療用コンソールユニット。
【発明の詳細な説明】
【技術分野】
【０００１】
本発明は、主に病室や療養施設の居室内に設置され、患者に医療看護行為を行う為のコンセント、スイッチ、ナースコールなどの電気設備や、医療用ガスのアウトレット（酸素、空気、吸引等のガスの供給口と吸引口等）などが組み付けられる医療用コンソールユニットに関するものである。
【背景技術】
【０００２】
以前より、ベッドの頭部側壁面に設置される医療用コンソールユニットが知られている。
このような医療用コンソールユニットは、通常、設置される部屋の壁面に取り付けられる。また、該部屋に隣接する他の部屋の壁面にも、同じように医療用コンソールユニットが設置されている。
このように、医療用コンソールユニットは、各部屋それぞれに個別で設置され、このような医療用コンソールユニットが設置される壁体も、各部屋でそれぞれ設置されることが一般的であるが、医療用コンソールユニット費用、医療用コンソールユニット設置工事、壁体設置工事などを含めたトータルコストが高くなるといった問題がある。
また、一般的に、ガス配管接続部分を壁面内で行わないことが推奨されているため、天井部分でガス配管を分岐させ、一方側の部屋用と隣接する部屋用にそれぞれ配設しており工事コストがかかるといった問題がある。
【先行技術文献】
【特許文献】
【０００３】
【特許文献１】特開２０１０−０４２０７２公報
【発明の概要】
【発明が解決しようとする課題】
【０００４】
本発明は、従来の問題点に鑑みて、トータルコストを抑制する使い勝手のよい医療用コンソールユニットを提供することを課題とする。
【課題を解決するための手段】
【０００５】
そこで、上記課題を解決する為、本発明が第１の手段として構成したところは、医療用ガスのアウトレットや医療用壁掛式吸引器の取り付けフック、ナースコール子機器具、コンセント、スイッチ等が組み付けられ、主に病室、居室の壁体に設置される医療用コンソールユニットにおいて、医療用コンソールユニットは、壁体の一方面側と他方面側の両面から使用できるものであって、少なくとも壁体の一方面側と他方面側に医療用ガスのアウトレットを備えるとともに、一方面側用の医療用ガスのアウトレットと他方面側用の医療用ガスのアウトレットで共用可能な医療用ガス配管の接続部分を備えたものである。
【０００６】
次に、上記課題を解決する為、本発明が第２の手段として構成したところは、上記第１手段に加え、医療用コンソールユニットは、少なくとも大部分が壁面内に設置される本体と、本体を覆う化粧パネルを壁体の一方面側と他方面側に備え、壁体を構成する一方面の化粧材と他方面側の化粧材間に、本体より膨出状に形成された医療用ガス配管の接続部分を設けたものである。
【０００７】
次に、上記課題を解決する為、本発明が第３の手段として構成したところは、上記第２手段に加え、膨出状に形成された医療用ガス配管の接続部分は、本体と分離可能に形成されているものである。
【０００８】
次に、上記課題を解決する為、本発明が第４の手段として構成したところは、上記第１手段に加え、医療用コンソールユニットは、少なくとも大部分が壁面内に設置される本体と、本体を覆う化粧パネルを備え、化粧パネルを取り外した状態で露呈する本体に一方面側と他方面側に貫通する開口部を備えた開放空間を設け、該開放空間を医療用ガス配管の接続部分としたものである。
【発明の効果】
【０００９】
請求項１に記載の発明によると、医療用コンソールユニットの壁体内に設置される本体を、壁体の一方面側と他方面側とで共用することができるため、一方側の部屋と、壁体で隔てられ該部屋に隣接する他方側の部屋間の該壁体に医療用コンソールユニットを設置すると、一方側の部屋用と、隣接する他方側の部屋用の医療用コンソールユニットを一体のみにすることができる。そのため医療用コンソールユニット費用、設置工事費用を抑制することができる。
さらに、医療用コンソールユニットに医療用ガス配管の接続部分が設けられるので、天井側より医療用コンソールユニット側に配設されたガス配管を、該接続部分で分岐させることが可能であるため、壁体の一方面側に設けられた医療用ガスのアウトレットと他方面側に設けられた医療用ガスのアウトレットと前記配管の接続を接続部分で行い、天井側より配設されたガス配管を医療用ガスのアウトレットと他方面側に設けられた医療用ガスのアウトレットとで共用とすることが可能となり、ガス配管接続工事を別途天井内などで行う必要がなく、ガス配管接続工事費用を抑制することができる。
【００１０】
請求項２に記載の発明によると、前記効果に加え、医療用ガス配管の接続部分は本体より膨出状に形成されており、医療用ガス配管の接続部分は医療用コンソールユニット内となるため、接続部分を壁体内に設けることにはならないので、壁体の一方面側と他方面側の化粧材間に医療用ガス配管の接続部分を設けることができる。
また、医療用ガス配管の接続部分が壁面内に膨出しているので、医療用ガス配管と医療用ガスのアウトレットの接続作業は、壁体の化粧材を貼り付ける前に行うため、バーナーなどの高熱源を使用する医療用ガス配管と医療用ガスのアウトレットの接続作業時に壁体の化粧材を傷つける恐れが無く接続作業がやり易い。
さらに、本体を覆う化粧パネルの大きさを小さくすることができ、化粧パネルの製造コストも抑えられるほか、露呈する化粧パネルを最小限とすることができるため見栄えがよい。
そして、医療用ガス配管の接続部分を壁面内に膨出させることによって、本体を覆う化粧パネルの大きさを小さくすることに加え、医療用ガスのアウトレットの真上に接続部分を設けることが可能であるため、医療用ガス配管を天井から真下に向かって配管でき、途中でガス配管が交差し合うことがないのでガス配管作業がし易い。
【００１１】
請求項３に記載の発明によると、前記効果に加え、膨出状に形成された医療用ガス配管の接続部分を本体から分離した状態で、医療用ガス配管と医療用ガスのアウトレットの接続を行い、接続が完了してから医療用ガス配管の接続部分を本体に連結できるため、バーナーなどの高熱源を使用する医療用ガス配管と医療用ガスのアウトレットの接続作業が広いスペースで容易にできる。
【００１２】
請求項４に記載の発明によると、請求項１に記載の発明の効果に加え、化粧パネルを取り外した状態で露呈する本体に医療用ガス配管の接続部分を設けているので、壁体の化粧材の有無に関係なく、ガス配管の接続作業を行うことができる。
また、医療用ガス配管の接続部分は、本体の一方面側から他方面側に貫通しているので天井側より配設されたガス配管を医療用ガスのアウトレット用と他方面側に設けられた医療用ガスのアウトレット用との分岐作業が、一方面側から他方面側の双方向から行うことができるので作業がやり易い。
【図面の簡単な説明】
【００１３】
【図１】従来型医療用コンソールユニットが設置される病室の平面図
【図２】本件医療用コンソールユニットが設置される病室の平面図
【図３】壁体に設置された第１実施例の医療用コンソールユニットの正面図
【図４】壁体に設置された第１実施例の医療用コンソールユニットの背面図
【図５】壁体に設置された第１実施例の医療用コンソールユニットの平面図
【図６】図３のＡ−Ａ線拡大断面図
【図７】図３のＢ−Ｂ線拡大断面図
【図８】膨出型ガス接続部の斜視図
【図９】第１実施例の医療用コンソールユニット本体の正面図
【図１０】壁体に設置された第２実施例の医療用コンソールユニットの正面図
【図１１】壁体に設置された第２実施例の医療用コンソールユニットの背面図
【図１２】図１０のＡ−Ａ線拡大断面図
【図１３】開放型ガス接続部でガス配管を接続した状態を示す正面図
【発明を実施するための最良の形態】
【００１４】
医療用ガスのアウトレットや医療用壁掛式吸引器の取り付けフック、ナースコール子機器具、コンセント、スイッチ等が組み付けられ、主に病室、居室の壁体に設置される医療用コンソールユニットにおいて、医療用コンソールユニットは、壁体の一方面側と他方面側の両面から使用できるものとし、少なくとも壁体の一方面側と他方面側に医療用ガスのアウトレットを備えるとともに、一方面側用の医療用ガスのアウトレットと他方面側用の医療用ガスのアウトレットで共用可能な医療用ガス配管の接続部分を設け、医療用ガス配管の接続部分を不燃性の材料で形成した部材で隠蔽する。
【実施例】
【００１５】
以下、実施例を添付図面に基づいて詳述する。
図１は、以前よりある一般的な病室の配置を示した平面図であり、符号７ａは、病室などの部屋を示し、符号７ｂも同様に病室などの部屋を示し、病室７ａと病室７ｂは、それぞれの部屋の壁体７１、７２によって区分けされている。
そして、符号６１、６２は、ベッド７ｃ、７ｄのそれぞれの壁体７１、７２に設置された一般的な医療用コンソールユニットを示している。
【００１６】
図２は、本件医療用コンソールユニットを設置した場合の病室の配置を示した平面図であり、符号７ａは、病室などの部屋を示し、符号７ｂも同様に病室などの部屋を示し、病室７ａと病室７ｂは、壁体７０によって区分けされている。
そして、符号１００は、ベッド７ｃ、ベッド７ｄで共有する壁体７０に設置された本件医療用コンソールユニットを示している。
【００１７】
壁体７０は、床面から天井面に立直する複数の縦骨材７０１と縦骨材７０１間を水平方向に連結される複数の横骨材７０２と、縦骨材７０１と横骨材７０２の前面側に取り付けられる正面側の化粧板７０３と、縦骨材７０１と横骨材７０２の後面側に取り付けられる後面側の化粧板７０４とで形成されている。
医療用コンソールユニット１００は、本体１と、本体１の前面側、後面側それぞれに着脱自在に設置される正面蓋体２、後面蓋体３より構成されている。
尚、図２における部屋７ａ側を正面、部屋７ｂ側を後面とし、前面、後面方向を前後方向とし、左右方向は、前面側から後面側を見た状態での左右方向と便宜的に設定する。
【００１８】
次に実施例における医療用コンソールユニットについて詳述するが、まず、後述する実施例１と実施例２で共通する構成について詳述する。
本体１は、前面側と後面側が開口する筐体状であって、筐体状の上面側を形成する上部隔壁１０と、筐体状の下面側を形成する下部隔壁２０、筐体状の左右の側面を形成する左側面隔壁３０、右側面隔壁４０で構成されている。
そして、上部隔壁１０と下部隔壁２０間と、左側面隔壁３０、右側面隔壁４０間で形成される本体１の開口部５００を、本体の前後方向の中心付近で開口部５００の大部分を閉塞するように隔壁５０が設けられている。
【００１９】
上部隔壁１０は、側面視において、前面側開口部から後側に延びる前上基材１０１と、後面側開口部から前側に延びる後上基材１０３と、前上基材１０１と後上基材１０３間で上方に突出する上凸部１０２と、前上基材１０１の前端から上方に突出する前部上化粧縁１０４と、後上基材１０３の後端から上方に突出する後部上化粧縁１０５で形成されている。
そして、前部上化粧縁１０４、前上基材１０１と、上凸部１０２とで、上部前凹部１０ａが形成され、後部上化粧縁１０５、前上基材１０１と、上凸部１０２とで、上部後凹部１０ｂが形成される。
また、上凸部１０２には上下方向に貫通する挿通孔１０２ａが複数設けられ、該挿通孔１０２ａより、壁体内部を通る電線やガス配管などを、本体の内部（開口部５００）に引き込むことができる。
【００２０】
下部隔壁２０は、側面視において、前面側開口部から後側に延びる前下基材２０１と、後面側開口部から前側に延びる後下基材２０３と、前下基材２０１と後下基材２０３間で下方に突出する下凸部２０２と、前下基材２０１の前端から下方に突出する前部下化粧縁２０４と、後下基材２０３の後端から下方に突出する後部下化粧縁２０５で形成されている。
そして、前部下化粧縁２０４、前下基材２０１と、下凸部２０２とで、下部前凹部２０ａが形成され、後部下化粧縁２０５、後下基材２０３と、下凸部２０２とで、下部後凹部２０ｂが形成される。
尚、下部隔壁２０は、上部隔壁１０と上下方向で対称形とされているが、ガス管や電気配線などの挿通孔は必要としないので備えていない。
ただし、本件医療用コンソールを上下に複数個設置する場合など、必要に応じて挿通孔が設けられる。
【００２１】
左側面隔壁３０は、平面視において、前面側開口部から後面側開口部に延びる側面基材３０１と、側面基材３０１の前端から側方左側に突出する前部左化粧縁３０２と、側面基材３０１の後端から側方左側に突出する後部左化粧縁３０３からなり、左側面凹部３０ａを形成している。
【００２２】
右側面隔壁４０は、平面視において、前面側開口部から後面側開口部に延びる側面基材４０１と、側面基材４０１の前端から側方右側に突出する前部右化粧縁４０２と、側面基材４０１の後端から側方右側に突出する後部右化粧縁４０３からなり、右側面凹部４０ａを形成している。
【００２３】
隔壁５０は、前記開口部５００を閉塞する大きさの板状の閉塞部５０１と、閉塞部５０１の上端と下端をそれぞれ後側に折り曲げるように設けられた設置部５０１ａ、５０１ｂで形成され、設置部５０１ａ、５０１ｂは、それぞれ上部隔壁１０と下部隔壁２０の設置面とされる。
【００２４】
閉塞部５０１には、後側に突出するように補強体５０２が設けられ、補強体５０２によって隔壁５０の剛性が高められている。
隔壁補強体５０２は、閉塞部５０１の幅方向と略同じ長さで形成され、隔壁補強体５０２は、閉塞部５０１と所定の間隔をあけた後側の位置に配置される取付ベース部５０２ａを有している。
【００２５】
閉塞部５０１、取付ベース部５０２ａには適宜ネジ孔等が設けられ、電気器具の取り付けやガスのアウトレットなどが取り付けられるようになっている。
このように、隔壁５０は、開口部１ａを閉塞するだけでなく、器具の取り付けなどもできるので、医療用コンソールユニットのコストも抑えられ、トータルコストの抑制に寄与する。
【００２６】
尚、隔壁５０の閉塞部５０１、取付ベース部５０２ａ間にせっこうボードやグラスウールなどの断熱・防音材５０ａを挟みこめば、遮音性や断熱性を向上させることができる。
【００２７】
このように構成された本体１は、正面側から見て、右側がアウトレット取付部１ａ、左側が電気設備取付部１ｃ、アウトレット取付部１ａと電気設備取付部１ｃ間が、電気器具取付部１ｂとして設定される。
同様に本体１を後面側から見ると、左側がアウトレット取付部１ａ、右側が電気設備取付部１ｃ、アウトレット取付部１ａと電気設備取付部１ｃ間が、電気器具取付部１ｂとなる。
【００２８】
これらのアウトレット取付部１ａ、電気器具取付部１ｂ、電気設備取付部１ｃの位置・数量は、医療用コンソールユニットが設置される病室の仕様に応じて適宜設定されるものであるから位置・数量が変わることがあるのは当然のことである。
また、正面側と後面側のアウトレット取付部１ａ、電気器具取付部に１ｂ、電気設備取付部１ｃの位置が違う場合も当然ながらありえるものである。
【００２９】
アウトレット取付部１ａの閉塞部５０１には、前述のとおり、アウトレット取付用のネジ孔が複数個設けられ、閉塞部５０１にアウトレット６が取り付けられるよう施されている。
【００３０】
電気器具取付部に１ｂの閉塞部５０１には、後述する器具取付座２０ｂ取付用のネジ孔が複数個設けられ、閉塞部５０１に器具取付座２０ｂが取り付けられるよう施されている。
電気設備取付部１ｃの閉塞部５０１には、後述する設備取付座２０ｃ取付用のネジ孔が複数個設けられ、閉塞部５０１に設備取付座２０ｃが取り付けられるよう施されている。
【００３１】
アウトレット取付部１ａの閉塞部５０１の裏面側の取付ベース部５０２ａには、閉塞部５０１と同様にアウトレット取付用のネジ孔、器具取付座２０ｂ取付用のネジ孔、設備取付座２０ｃ取付用のネジ孔が複数個設けられ、アウトレット６、器具取付座３０ｂ、設備取付座３０ｃがそれぞれに取り付けられるように施されている。
【００３２】
本件実施例の場合、器具取付座２０ｂ、３０ｂと設備取付座２０ｃ、３０ｃは同型であるので、器具取付座２０ｂについてのみ詳述する。
器具取付座２０ｂは、側面視において正面側が開口する断面コ字状を成し、閉塞部５０１との取付面である板状の基部２０１ｂと、基部２０１ｂの上端と下端から前方に延出する嵩上げ部２０２ｂ、２０２ｂ、嵩上げ部２０２ｂ、２０２ｂの前端で、下方側と上方側にそれぞれ向かい合うように延出する器具設備取付部２０３ｂ、２０３ｂで形成されている。
当然のごとく、器具取付座２０ｂや設備取付座２０ｃは、取り付ける器具、設備に合わせて適宜設計されるものであるから、必ずしもこの形態である必要はない。
【００３３】
正面蓋体２と後面蓋体３は基本的に同形態とされるため、正面蓋体２のみを詳述する。
正面蓋体２は、ガス取出用化粧蓋体２ａ、電気器具用化粧蓋体２ｂ、電気設備用化粧蓋体２ｃの複数の蓋体からなり、該複数の蓋体をそれぞれが横方向に連続して並ぶように配設されることによって形成され、各蓋体の高さ方向は、本体１の高さより高く設定され、ガス取出用化粧蓋体２ａ、電気器具用化粧蓋体２ｂ、電気設備用化粧蓋体２ｃを横方向に順に並べたときの左右方向の幅合計、すなわち正面蓋体２の幅は、本体１の幅より広く設定されている。
尚、実施例における正面蓋体２は、基本形態を示しているものであって、ガス取出用化粧蓋２ａ、電気器具用化粧蓋２ｂ、電気設備用化粧蓋２ｃより構成されているが、電気設備用化粧蓋２ｃを増やしたり、電気器具用化粧蓋２ｂと電気設備用化粧蓋２ｃを一体化し統合したりと適宜必要に応じて数量、仕様を変更しても構わない。
【００３４】
ガス取出用化粧蓋体２ａは横長矩形の薄板箱状に形成され、医療用コンソールを設置時に表面に露呈する正面板２１ａの裏面にキャッチ支持部材２２ａが四隅に設けられ、該キャッチ支持部材２２ａにキャッチ４００が取り付けられ、該キャッチ４００を使用して、本体１の前記アウトレット取付部１ａの正面側を閉塞するように、着脱自在に本体１に取り付けられる。
また、正面板２１ａには、本体１に取り付けられたアウトレットが臨むように開口部が設けられている。
尚、本件実施例の場合、電気器具用化粧蓋２ｂ、電気設備用化粧蓋２ｃもガス取出用化粧蓋体２ａと同様な方法で構成され、電気器具用化粧蓋２ｂ、電気設備用化粧蓋２ｃの正面板にはそれぞれ電気器具、電気設備に対応した開口部が設けられ、電気器具用化粧蓋２ｂ、電気設備用化粧蓋２ｃは、本体１の電気器具取付部１ｂ、電気設備取付部１ｃの前面側をそれぞれ閉塞するように着脱自在に本体１に取り付けられる。
本体１には、上記のキャッチ４００に対応して、キャッチ受け４０１がキャッチ受け座４０２を介して設置されている。
【００３５】
実施例１における膨出型ガス接続部８Ａについて詳述する。
膨出型ガス接続部８Ａは、図５、図６に示すように、本体１のアウトレット取付部１ａの上部の上部隔壁１０に連接されているものであって、壁体７０を構成する一方面の化粧材７０３と他方面側の化粧材７０４間に納まる奥行きで、アウトレット取付部１ａの左右巾より小さめで、左右に並んで設置されるアウトレット６の上方部分を覆う大きさで下面は開放された箱状のものである。
つまり、膨出型ガス接続部８Ａは、本体１から箱状に膨出したように本体１に取り付けられる。
【００３６】
具体的には、図８に示すように、箱状に形成された前面側（化粧材７０３側）の前面部８１ａは、横長長方形の板状を成し、前面部８１ａの後面側（化粧材７０４側）に対向する後面部８１ｂは、前面部８１ａと同型に形成され、前面部８１ａと後面部８１ｂの上端部を連結し、膨出型ガス接続部８Ａの上面を閉塞する上面部８２を形成し、前面部８１ａの左右の端部と後面部８１ｂの左右の端部をそれぞれ連結し、膨出型ガス接続部８Ａの左右の側面を閉塞する側面部８４、８４を形成し、前面部８１ａの下端より前方側（化粧材７０３側）に延伸する取付片８２ａ、後面部８１ｂの下端より後方側（化粧材７０４側）に延伸する取付片８２ｂ、そして、膨出型ガス接続部８Ａの開放された下面の連通孔８３によって形成されている。
また、上面部８２には、天井側から壁体７０の内部に配設されるガス配管Ｇの取り入れ口の開口部８２ｃが設けられている。
【００３７】
このように形成された膨出型ガス接続部８Ａは、本体１のアウトレット取付部１ａの上部の上部隔壁１０に、取付片８２ａ、取付片８２ｂ部にてネジを使用して着脱可能に連接される。
【００３８】
実施例２における開放型ガス接続部８Ｂについて詳述する。
開放型ガス接続部８Ｂは、図１２、図１３に示すように、アウトレット取付部１ａの側部に連接されて本体１に形成されているものであって、具体的には本体１の取付部１ａと器具取付座２０ｂの間に形成されている。
開放型ガス接続部８Ｂには隔壁５０は設けられず、本体１には、開放型ガス接続部８Ｂで正面蓋体２側と後面蓋体３側で貫通した接続開口部９が形成される。
【００３９】
接続開口部９の外周部には、前面側と後面側のそれぞれで、本体１の上部隔壁１０の前上基材１０１の下面に取り付けられた、前上縁９１ａと、上部隔壁１０の後上基材１０３の下面に取り付けられた、後上縁９１ｂと、下部隔壁２０の前下基材２０１の上面に取り付けられた、前下縁９２ａと、下部隔壁２０の後下基材２０３の上面に取り付けられた、後下縁９２ｂと前上縁９１ａの両端部と前下縁９２ａの両端部をそれぞれ上下方向で繋いだ形態の前側縁９３ａ、９３ａと、後上縁９１ｂの両端部と後下縁９２ｂの両端部をそれぞれ上下方向で繋いだ形態の後側縁９３ｂ、９３ｂが設けられている。
【００４０】
そして、接続開口部９の前面側は、前上縁９１ａ、前下縁９２ａ、前側縁９３ａ、９３ａによって四方枠状に形成された前開口縁９ａで囲われ、接続開口部９の後面側は、後上縁９１ｂ、後下縁９２ｂ、後側縁９３ｂ、９３ｂによって四方枠状に形成された後開口縁９ｂで囲われる。
開放型ガス接続部８Ｂ（接続開口部９）の両側は、隔壁９４で閉塞され、アウトレット取付部１ａ側の隔壁には、ガス配管Ｇが挿通可能な開口部９４ａが設けられている。
また、接続開口部９は、前後で、着脱自在な前閉塞蓋９０ａ、後閉塞蓋９０ｂによって閉塞される。
【００４１】
前閉塞蓋９０ａ、後閉塞蓋９０ｂは同型であるので、前閉塞蓋９０ａについて説明する。
前閉塞蓋９０ａは、前記前開口縁９ａを覆う大きさに形成された横長長方形の板状のもので、開口縁９ａに対応した位置に取付穴９０１ａが複数個設けられ、取付穴９０１ａを使用して、前開口縁９ａに対してネジ止めにて着脱可能に取り付けられる。
【００４２】
このように構成された本件医療用コンソールユニット１００の設置は、壁体７０を構築する工程で成されるので、その設置方法について説明する。
まず、壁体７０を形成するのに一般的に用いられる壁構築用骨材（スタッド材）の縦骨材７０１、７０１を、本体１の幅より広めの間隔となるように床面に立てて配置する。
そして、該縦骨材７０１、７０１間に、縦骨材と同様に一般的に用いられる壁構築用骨材（スタッド材）の横骨材７０２を水平方向に取り付ける。
【００４３】
そして、該横骨材７０２の上面に、本体１を、本体１の下面となる下凸部２０２が載るように横骨材７０２に載置し、本体１の前後位置の調整を行い、横骨材７０２と本体１の下部隔壁２０をネジ止めする。
【００４４】
次に、横骨材７０２を、横骨材７０２の下面が上部隔壁１０の上面となる上凸部１０２に載るように本体１に載置し、横骨材７０２の前後位置の調整を行い、横骨材７０２を縦骨材７０１、７０１に固定する。
この時、上部隔壁１０の上面の内、ガス接続部の上方には、横骨材７０２を配設しない。
【００４５】
当然ながら、縦骨材７０１、７０１と横骨材７０２、７０２は、医療用コンソールユニットの取り付け位置があらかじめ設定された位置となるように、配置位置が採寸されて所定の位置に設置される。
次に、壁体７０の医療用コンソールユニット設置部以外の部分を、建築等の仕様に応じて縦骨材７０１、７０１と横骨材７０２、７０２を適宜壁体７０構築部に配置する。
【００４６】
このように壁体７０の骨材を配置したあと、本体１の上側に位置する横骨材７０２に、上部隔壁１０の挿通孔１０２ａに対応した挿通孔が開けられ天井から電気配線Ｄなどが引き込まれる。
ガス配管Ｇの配設方法は、天井側から下方に向かってガス配管Ｇが降ろされ、医療用コンソールユニットのガス接続部まで引き込まれるが、実施例１と実施例２とで相違する点があるので、個別に説明する。
【００４７】
実施例１におけるガス配管Ｇの配設方法は、天井側から降ろされたガス配管Ｇの先端から、一時的に本体１から取り外された膨出型ガス接続部８Ａを、開口部８２ｃからガス配管Ｇを入れながら上方に移動させ、テープなどで一時的に固定する。
そして、ガス配管Ｇを、膨出型ガス接続部８Ａが本体１に装着された状態の膨出型ガス接続部８Ａの位置で、前面側の医療用ガスのアウトレット６と後面側の医療用ガスのアウトレット６用にガス配管Ｇを分岐し、前面側と後面側の医療用ガスのアウトレット６にそれぞれ接続を行う。
この時、前面側と後面側のそれぞれのアウトレット６のガス配管は、本体上部の挿通孔１０２ａから本体１内部に挿通される。
【００４８】
そして、上方でテープなどにて一時的に固定されていた膨出型ガス接続部８Ａをガス配管Ｇに沿って降ろしてくる。そして、膨出型ガス接続部８Ａを本体１にネジ止め固定して完了する。
このように膨出型ガス接続部８Ａを一時的に本体１より分離させることにより、ガス配管Ｇを分岐や接続は一般的にロウ付けと呼ばれる火を使用する作業であるから、壁が完成し壁クロスが貼られる前にガス配管Ｇを分岐や接続を行え、ガス配管Ｇを分岐や接続作業時の養生などが簡単で作業がし易い。
また、膨出型ガス接続部８Ａの設置部分を、前面側と後面側のそれぞれの医療用ガスのアウトレット用の接続箇所として使用することができるので作業がし易く、膨出型ガス接続部８Ａ部の上方のガス配管Ｇも前面側と後面側のそれぞれの医療用ガスのアウトレットで共用することが可能である。
【００４９】
膨出型ガス接続部８Ａは、最終的に本体１に取り付けられ、膨出型ガス接続部８Ａ内でガス配管Ｇを分岐、接続を行っているので、壁体７０でガス配管Ｇ分岐、接続していることにならず、膨出型ガス接続部８Ａでガス配管Ｇを分岐、接続を保護することが可能である。
すなわち、膨出型ガス接続部８Ａの内部が医療用ガス配管の接続部分となる。
【００５０】
膨出型ガス接続部８Ａは前後で二分割に構成し、ガス配管Ｇを分岐、接続後、膨出型ガス接続部８Ａを前後から被せてネジ止めをしてもよいが、膨出型ガス接続部８Ａは、最終的に壁体７０の中に隠蔽されるので、実施例１のように一体式の方がコストを抑えることが可能である。
【００５１】
次に実施例２におけるガス配管Ｇの配設方法を説明する。
実施例２におけるガス配管Ｇの配設方法は、天井側から降ろされたガス配管Ｇを、接続開口部９の上方に設けられた本体１の挿通孔１０２ａから本体１内に引き入れ、前閉塞蓋９０ａ、後閉塞蓋９０ｂが取り外された接続開口部９に露呈させる。
そして、接続開口部９で前面側の医療用ガスのアウトレットと後面側の医療用ガスのアウトレット用にガス配管Ｇを分岐し、前面側と後面側の医療用ガスのアウトレットにそれぞれ接続を行う。
このように、接続開口部９は医療用ガス配管の接続部分として使用される。
また、ガス配管Ｇを分岐や接続作業は、接続開口部９が前面側と後面側で貫通しているので、前面側と後面側の双方向で作業が行え、分岐や接続作業がし易い。
【００５２】
そして、前閉塞蓋９０ａ、後閉塞蓋９０ｂをネジ止めし、接続開口部９を閉塞する。
このように、前閉塞蓋９０ａ、後閉塞蓋９０ｂによって、接続開口部９は閉塞されるので、本体１の隔壁５０と前閉塞蓋９０ａ、後閉塞蓋９０ｂによって、本体１の前後間に貫通する孔が塞がれる。そのため、医療用コンソールユニット１００の設置により壁体７０の欠損部を補うことができ、壁体７０の防火性能の低下を防止する効果がある。
【００５３】
実施例１、実施例２のいずれの方法においても天井側から下方に向かってガス配管Ｇが配設され、ガス接続部で正面側と後面側に分岐されるので、壁体７０内のガス配管Ｇを、前面側と後面側の医療用ガスのアウトレットで共用できるため、ガス配管Ｇの使用量が減り、トータルコストの抑制に寄与することができる。
また、膨出型ガス接続部８Ａ、前閉塞蓋９０ａ、後閉塞蓋９０ｂは、建築基準法などに則り、１．６ミリメートル以上の厚さの鋼板などの不燃性の材料で形成することが、防火性能の維持のために最良である。
【００５４】
そして、ガス配管Ｇが接続されたあと、電気配線Ｄを配設し、壁体７０の表面部を形成するせっこうボードなどの化粧板７０３、７０４を、骨材の正面側と後面側に貼りつけていく。化粧板７０３、７０４は、骨材に対してネジにて固定されるのが一般的である。
【００５５】
次に、本体１の周囲に化粧板の以下の方法にて取り付ける。
前面側の化粧板７０３を、本体１の上部前凹部１０ａ、下部前凹部２０ａ、左側面凹部３０ａ、右側面凹部４０ａの各凹部に化粧板７０３の端部を差し込み、本体１の開口部５００を閉塞しないように、適宜切断し骨材に固定する。
同様に、後面側の化粧板７０４も、本体１の上部後凹部１０ｂ、下部後凹部２０ｂ、左側面凹部３０ａ、右側面凹部４０ａの各凹部に化粧板７０４の端部が差し込み、本体１の開口部５００を閉塞しないように、適宜切断し骨材に固定する。
【００５６】
このように、化粧板７０３、７０４を本体１の前記各凹部に差し込んで取り付けることにより、化粧板の端面と、本体１との設置面に生じやすい隙間が、本体１の前部上化粧縁１０４、後部上化粧縁１０５、前部下化粧縁２０４、後部下化粧縁２０５、前部左化粧縁３０２、後部左化粧縁３０３、前部右化粧縁４０２、後部右化粧縁４０３によって隠されるので、本体１と化粧板との設置部で、前後方向に直線的に貫通する隙間が開かず、断熱性、遮音性、防耐火性に優れる。
そして、化粧板の表面に壁クロスなどが貼り付けられ、壁体７０は構築される。
【００５７】
次に、本体１に、器具取付座２０ｂ、３０ｂと設備取付座２０ｃ、３０ｃがネジにて取り付けられ、さらに、器具取付座２０ｂ、３０ｂと設備取付座２０ｃ、３０ｃにナースコールなどの電気器具２００、コンセントやスイッチなどの電気設備３００が取り付けられる。
【００５８】
そして、本体１の前面側と後面側それぞれに、正面蓋体２、後面蓋体３が取り付けられる。医療用コンソールユニットの取り付けが完了する。
尚、正面蓋体２、後面蓋体３はそれぞれ、化粧板の開口、すなわち本体１が露呈している開口より大きくなる大きさに設定されているので、該開口が露呈することがなく医療用コンソールの設置部の見栄えがよい。
【符号の説明】
【００５９】
１００    医療用コンソールユニット
１        本体
１０      上部隔壁
２０      下部隔壁
３０      左側面隔壁
４０      右側面隔壁
５０      隔壁
５００    開口部
２        正面扉体
３        後面扉体
６        アウトレット
２００    電気器具
３００    電気設備
７０      壁体
７０３    化粧板
７０４    化粧板
７ａ      病室
７ｂ      病室
８Ａ      膨出型ガス接続部
８Ｂ      開放型ガス接続部
９        接続開口部
９０ａ    前閉塞蓋
９０ｂ    後閉塞蓋
【図１】
2018029632.tif 000003
【図２】
2018029632.tif 000004
【図３】
2018029632.tif 000005
【図４】
2018029632.tif 000006
【図５】
2018029632.tif 000007
【図６】
2018029632.tif 000008
【図７】
2018029632.tif 000009
【図８】
2018029632.tif 000010
【図９】
2018029632.tif 000011
【図１０】
2018029632.tif 000012
【図１１】
2018029632.tif 000013
【図１２】
2018029632.tif 000014
【図１３】
2018029632.tif 000015